(57)【要約】      （修正有）【課題】画像読取後などの原稿の並び替え作業が不要となり、ユーザの作業効率を向上させることができる自動原稿供給装置を提供する。【解決手段】自動原稿供給装置は、搬送される原稿を表裏を反転して排出するＵターン排紙パスと、原稿をストレートで排出するストレート排紙パスと、排紙路を切り替えるフラッパとを備え、ストレート排紙パスへ排出する原稿を予め設定するための設定手段を備え、設定された原稿のみをストレート排紙パスへ排出し、それ以外の原稿をＵターン排紙パスへ排出するように排紙切り替えを制御する。【選択図】図５
2012206841.tif 000002
【特許請求の範囲】
【請求項１】
原稿を積載する原稿台と、
前記原稿台に積載された原稿を１枚ずつ搬送する原稿搬送手段と、
前記原稿搬送手段により搬送される原稿を表裏を反転して排出するＵターン排紙路と、
前記原稿搬送手段により搬送される原稿をストレートで排出するストレート排紙路と、
前記Ｕターン排紙路と前記ストレート排紙路とを切り替える排紙路切替手段と、
前記排紙路切替手段を制御する制御手段と、
前記ストレート排紙路へ排出する原稿を予め設定するための設定手段とを備え、
前記制御手段は、前記設定手段により設定された原稿を前記ストレート排紙路へ排出し、それ以外の原稿を前記Ｕターン排紙路へ排出するように前記排紙路切替手段を制御することを特徴とする原稿供給装置。
【請求項２】
原稿を積載する原稿台と、
前記原稿台に積載された原稿を１枚ずつ搬送する原稿搬送手段と、
前記原稿搬送手段により搬送される原稿を表裏を反転して排出するＵターン排紙路と、
前記原稿搬送手段により搬送される原稿をストレートで排出するストレート排紙路と、
前記Ｕターン排紙路と前記ストレート排紙路とを切り替える排紙路切替手段と、
前記排紙路切替手段を制御する制御手段とを備え、
前記制御手段は、前記原稿台に積載された原稿束の１枚目の原稿を前記ストレート排紙路へ排出し、それ以外の原稿を前記Ｕターン排紙路へ排出するように前記排紙路切替手段を制御することを特徴とする原稿供給装置。
【請求項３】
前記原稿搬送手段により搬送される原稿を検知する原稿検知手段をさらに備え、
前記制御手段は、前記原稿検知手段による検知結果に基づいて、前記排紙路切替手段が切り替わった後に、次の原稿の先端が前記排紙路切替手段に達するように、前記原稿搬送手段による給紙のタイミングを制御することを特徴とする請求項１または２に記載の原稿供給装置。
【請求項４】
前記制御手段は、前記原稿検知手段により検知した原稿をカウントし、カウントした枚数が、前記設定手段により設定された枚数に達したときに、前記排紙路切替手段を制御して前記原稿を前記ストレート排紙路へ排出させることを特徴とする請求項３記載の原稿供給装置。
【請求項５】
原稿を積載する原稿台と、前記原稿台に積載された原稿を１枚ずつ搬送する原稿搬送手段と、前記原稿搬送手段により搬送される原稿を表裏を反転して排出するＵターン排紙路と、前記原稿搬送手段により搬送される原稿をストレートで排出するストレート排紙路と、前記Ｕターン排紙路と前記ストレート排紙路とを切り替える排紙路切替手段と、前記排紙路切替手段を制御する制御手段とを備える原稿供給装置の制御方法であって、
前記ストレート排紙路へ排出する原稿を予め設定するための設定工程と、
前記設定手段により設定された原稿を前記ストレート排紙路へ排出し、それ以外の原稿を前記Ｕターン排紙路へ排出するように前記排紙路切替手段を制御する制御工程とを備えることを特徴とする原稿供給装置の制御方法。
【請求項６】
原稿を積載する原稿台と、前記原稿台に積載された原稿を１枚ずつ搬送する原稿搬送手段と、前記原稿搬送手段により搬送される原稿を表裏を反転して排出するＵターン排紙路と、前記原稿搬送手段により搬送される原稿をストレートで排出するストレート排紙路と、前記Ｕターン排紙路と前記ストレート排紙路とを切り替える排紙路切替手段と、前記排紙路切替手段を制御する制御手段とを備える原稿供給装置の制御方法であって、
前記原稿台に積載された原稿束の１枚目の原稿を前記ストレート排紙路へ排出し、それ以外の原稿を前記Ｕターン排紙路へ排出するように前記排紙路切替手段を制御する制御工程を備えることを特徴とする原稿供給装置の制御方法。
【請求項７】
請求項５または６に記載の制御方法を原稿供給装置に実行させるためのコンピュータに読み取り可能なプログラム。
【請求項８】
原稿の画像を読み取る画像読取装置と、前記画像読取装置に接続された情報処理装置とを有する画像読取システムであって、
前記画像読取装置は、原稿を積載する原稿台と、前記原稿台に積載された原稿を１枚ずつ搬送する原稿搬送手段と、前記原稿搬送手段により搬送される原稿を表裏を反転して排出するＵターン排紙路と、前記原稿搬送手段により搬送される原稿をストレートで排出するストレート排紙路と、前記Ｕターン排紙路と前記ストレート排紙路とを切り替える排紙路切替手段とを備える一方、
前記情報処理装置は、前記ストレート排紙路へ排出する原稿を予め設定するための設定手段と、前記画像読取装置から前記原稿搬送手段により搬送される原稿の枚数を取得する原稿枚数取得手段と、前記取得した原稿の枚数が前記設定手段で設定された所定の枚数に達したか否かを判定する原稿枚数判定手段と、前記原稿枚数判定手段により所定の枚数に達したと判定した場合に、前記画像読取装置に前記Ｕターン排紙路と前記ストレート排紙路の切替要求を行う排紙路切替要求手段とを備えることを特徴とする画像読取システム。
【請求項９】
原稿を積載する原稿台と、前記原稿台に積載された原稿を１枚ずつ搬送する原稿搬送手段と、前記原稿搬送手段により搬送される原稿を表裏を反転して排出するＵターン排紙路と、前記原稿搬送手段により搬送される原稿をストレートで排出するストレート排紙路と、前記Ｕターン排紙路と前記ストレート排紙路とを切り替える排紙路切替手段とを備える画像読取装置と、前記画像読取装置に接続された情報処理装置とで構成される画像読取システムの制御方法であって、
前記ストレート排紙路へ排出する原稿を予め設定するための設定工程と、
前記画像読取装置から前記原稿搬送手段により搬送される原稿の枚数を取得する原稿枚数取得工程と、
前記取得した原稿の枚数が前記設定手段で設定された所定の枚数に達したか否かを判定する原稿枚数判定工程と、
前記原稿枚数判定工程にて所定の枚数に達したと判定した場合に、前記画像読取装置に前記Ｕターン排紙路と前記ストレート排紙路の切替要求を行う排紙路切替要求工程とを備えることを特徴とする画像読取システムの制御方法。
【請求項１０】
請求項９記載の制御方法を情報処理装置に実行させるためのコンピュータに読み取り可能なプログラム。
【発明の詳細な説明】
【技術分野】
【０００１】
本発明は、原稿供給装置及びその制御方法、画像読取システム、並びにプログラムに関し、特に、２つの排紙路を切り替えて原稿を排出することが可能な原稿供給装置に関するものである。
【背景技術】
【０００２】
近年、ファクシミリやプリンタ等の画像形成装置、スキャナ等の画像読取装置には、原稿台に載置された原稿束から原稿を１枚ずつ給送する原稿供給装置が搭載されている。
【０００３】
原稿供給装置は、原稿を表裏反転して排紙するＵターン排紙部と、原稿をストレートで排紙するストレート排紙部とを備えるものがある。通常の原稿はＵターン排紙部へ、名刺などの厚手原稿やプラスチックカードはストレート排紙部へ排出される（例えば、特許文献１参照）。
【先行技術文献】
【特許文献】
【０００４】
【特許文献１】特開昭６１−１１４９６０号公報
【発明の概要】
【発明が解決しようとする課題】
【０００５】
しかしながら、原稿供給装置には以下に示すような問題点がある。金融機関の窓口業務などで、免許証やＩＤカードといったプラスチックカードと申し込み用紙などの原稿を合わせて画像読取をする場合、全てをストレート排紙部へ排紙させると、原稿の順番が逆になり、画像読取後に並べ替えをしなければならない。また、プラスチックカードと合わせて複数枚の原稿の画像読取をする場合は、画像読取後の並べ替えをしないために、プラスチックカードのみストレート排紙部へ排出させる。そして、その他の原稿はＵターン排紙部へ切り替えて排紙させるが、切り替える手間が煩雑になったり、切り替えを忘れてしまったりすることがある。
【０００６】
本発明は、上記問題に鑑みて成されたものであり、画像読取後などの原稿の並び替え作業が不要となり、ユーザの作業効率を向上させることができる原稿供給装置及びその制御方法、画像読取システム、並びにプログラムを提供することを目的とする。
【課題を解決するための手段】
【０００７】
上記目的を達成するために、本発明の原稿供給装置は、原稿を積載する原稿台と、前記原稿台に積載された原稿を１枚ずつ搬送する原稿搬送手段と、前記原稿搬送手段により搬送される原稿を表裏を反転して排出するＵターン排紙路と、前記原稿搬送手段により搬送される原稿をストレートで排出するストレート排紙路と、前記Ｕターン排紙路と前記ストレート排紙路とを切り替える排紙路切替手段と、前記排紙路切替手段を制御する制御手段と、前記ストレート排紙路へ排出する原稿を予め設定するための設定手段とを備え、前記制御手段は、前記設定手段により設定された原稿のみを前記ストレート排紙路へ排出し、それ以外の原稿を前記Ｕターン排紙路へ排出するように前記排紙路切替手段を制御することを特徴とする。
【発明の効果】
【０００８】
本発明によれば、ストレート排紙とＵターン排紙の切り替え作業がなくなり、切り替え忘れもなくなるので、スループットの向上が図れる。
【図面の簡単な説明】
【０００９】
【図１】本発明の第１の実施形態に係る原稿供給装置が適用された画像読取装置の概略構造を示す図である。
【図２】図１の画像読取装置におけるストレート排紙時の状態を示す図である。
【図３】図１の画像読取装置が備える機能の概略構成を示すブロック図である。
【図４】図１のＰＣが備える機能の概略構成を示すブロック図である。
【図５】ＰＣが実行する原稿排紙パスの切替制御処理の流れを示すフローチャートである。
【図６】ＰＣからの指示に応じて実行される画像読取装置の原稿排紙パスの切替動作の流れを示すフローチャートである。
【図７】排紙自動切替を設定するための画面の一例を示す図であり、（ａ）は排紙枚数が設定可能な場合、（ｂ）は１枚目のみをストレート排紙する設定の場合である。
【図８】第２の実施形態におけるＰＣ１００が実行する原稿排紙パスの切替動作の流れを示すフローチャートである。
【図９】第３の実施形態の画像読取装置が実行する原稿排紙パスの切替制御処理の流れを示すフローチャートである。
【発明を実施するための形態】
【００１０】
以下、本発明の実施の形態を図面を参照して詳細に説明する。
【００１１】
［第１の実施形態］
図１は、本発明の第１の実施形態に係る原稿供給装置が適用された画像読取装置の概略構造を示す図である。
【００１２】
図１において、画像読取装置５０は、原稿（シートを含む）を表裏を反転して排出するためのＵターン排紙路と原稿をストレートで排出するためのストレート排紙路の２つの排紙路を有する自動原稿供給装置が適用されたスキャナ等から成る。画像読取装置５０は、ＵＳＢケーブル又はネットワークを介してパーソナルコンピュータ（ＰＣ）１００（情報処理装置）に接続され、画像読取システムを構成する。
【００１３】
画像読取装置５０は、原稿束Ｄを載置するための原稿台１と、原稿台１に載置された原稿を検知する原稿検知センサ９と、原稿束Ｄから原稿を搬送路に送り出すピックアップローラ２とを備える。
【００１４】
また、画像読取装置５０は、ピックアップローラ２によりピックアップされた原稿を装置内に供給する送りローラ３と、ピックアップローラ２により複数枚の原稿が給紙された場合には原稿を１枚ずつ分離するための分離ローラ４とを備える。
【００１５】
また、画像読取装置５０は、原稿の画像読み取りと給紙のタイミングを調整するためのレジストセンサ１１と、原稿を所定のタイミングで画像読取部へ搬送するレジストローラ対５とを備える。
【００１６】
さらに、画像読取装置５０は、画像読取部として、原稿の表面を読み取る表面画像読取部３４と、原稿の裏面を読み取る裏面画像読取部３５とを備える。表面画像読取部３４は、原稿の画像情報をコンタクトガラス８１を介して読み取るラインイメージセンサ７１を備える。裏面画像読取部３５は、原稿の画像情報をコンタクトガラス８２を介して読み取るラインイメージセンサ７２を備える。
【００１７】
また、画像読取装置５０は、画像読取部の下流に搬送ローラ６と、所定の押圧力で搬送ローラ６に押圧される搬送ローラ２３とを備える。
【００１８】
また、画像読取装置５０は、搬送路の中央に原稿を保持しつつ搬送するＵターン搬送ローラ７と、所定の押圧力でＵターン搬送ローラ７に押圧されるＵターン従動ローラ３３とを備える。
【００１９】
また、画像読取装置５０は、第１のシート搬送路であるＵターンパス２１（Ｕターン排紙路）と、Ｕターンパス２１を通過した原稿が排紙されるＵターン排紙トレイ１２とを備える。
【００２０】
さらに、画像読取装置５０は、Ｕターンパス２１を通過した原稿をＵターン排紙トレイ１２に排出するための排紙ローラ８と、所定の押圧力で排紙ローラ８に押圧される排紙ローラ４４とを備える。
【００２１】
また、画像読取装置５０は、第２のシート搬送路であるストレートパス２２（ストレート排紙路）と、画像読取装置５０に軸１３ａを支点に回動可能に取り付けられ、ストレートパス２２を通過した原稿が排紙されるストレート排紙トレイ１３とを備える。
【００２２】
フラッパ１４は、Ｕターンパス２１とストレートパス２２との分岐点に設けられた排紙路切替手段であり、回動可能に支持されており、不図示のソレノイドによりＵターンパス２１側かストレートパス２２側に搬送路を切り替えるようになっている。
【００２３】
次に、図１の画像読取装置５０における原稿搬送動作について説明する。
【００２４】
まず、原稿束Ｄが原稿台１に載置され、画像読取装置５０に接続されたＰＣ１００から画像の読み取り指示が出されると、ピックアップローラ２が降下する。ピックアップローラ２が下降すると原稿束Ｄ上に接触し、原稿検知センサ９で原稿を検知すると不図示の給紙ローラ駆動モータによりピックアップローラ２が回転して原稿が給紙される。給紙された原稿は送りローラ３によって搬送路内に送り出される。なお、ピックアップローラ２により複数枚の原稿が給紙されてしまった場合、複数枚の原稿は、送りローラ３と、この送りローラ３と逆方向に回転する分離ローラ４とにより、装置内に１枚だけ送り出されるよう分離される。
【００２５】
次に、装置内に送り出された原稿は、レジストローラ対５によって表面画像読取部３４又は裏面画像読取部３５の読取解像度に合わせた読取速度で搬送される。原稿がレジストセンサ１１を通過すると、その通過した際の検知信号から読み取りのタイミングを計って表面画像読取部３４又は裏面画像読取部３５による画像の読み取りが開始される。また、レジストセンサ１１が原稿の先端を検知すると、ピックアップローラ２及び送りローラ３を回転させる給紙ローラ駆動モータ（不図示）を停止させる。
【００２６】
図２は、図１の画像読取装置におけるストレート排紙時の状態を示す図である。
【００２７】
原稿が厚紙等の屈曲しにくいものでなく通常の原稿の場合、図１に示すように、フラッパ１４がＵターンパス２１側に向けて切り替えられているため、画像読取部を通過した原稿は搬送ローラ６によりＵターンパス２１側に搬送される。Ｕターンパス２１側に搬送された原稿は、Ｕターンパス２１に設けられたＵターン搬送ローラ７，３３を通過し、固有の速度でＵターン排紙トレイ１２に排出される。
【００２８】
一方、厚紙等の屈曲しにくい原稿を読み取る場合は、不図示のソレノイドによりフラッパ１４の先端部を持ち上げることで、図２に示すように、搬送ローラ６，２３以降の搬送路がストレートパス２２に切り替えられる。なお、このようにストレートパス２２に搬送路が切り替えられた場合、画像読取装置５０の消費電力を抑えるために、排紙ローラ８，４４を回転させる不図示の排紙ローラ駆動モータを停止させる。
【００２９】
予めストレートパス２２に搬送路が切り替えられた後、既述したようにレジストローラ対５によって読取解像度に合わせた読取速度で搬送された原稿は、表面画像読取部３４又は裏面画像読取部３５により画像読み取りが行われる。画像読取部を通過した原稿は、搬送ローラ６，２３によりストレートパス２２に搬送され、ストレート排紙トレイ１３に排出される。
【００３０】
原稿検知センサ９により原稿台１上の原稿が検知された場合は、ピックアップローラ２及び送りローラ３を回転させて原稿台１に載置されている原稿を装置内へ搬送して上述と同様の制御がなされ、原稿台１に原稿がなくなるまで繰り返される。
【００３１】
図３は、図１の画像読取装置５０が備える機能の概略構成を示すブロック図である。
【００３２】
画像読取装置５０は、ラインイメージセンサ７１（表），７２（裏）が接続された画像処理部３０２を備える。画像処理部３０２は、これらのセンサを用いて読み取られて生成された画像データに対して、色調補正等の所定の画像処理を行う。メモリ３０３は、画像処理部３０２において画像処理を施された画像データを記憶する。
【００３３】
画像読取装置５０は、装置全体の動作を制御するＣＰＵ３０１を備える。ＣＰＵ３０１に接続されたフラッシュメモリ３０４は、ＣＰＵ３０１が実行する各種制御プログラムを保持する。タイマ３０５は、駆動制御部３０６等をＣＰＵ３０１が制御するためのタイミング信号を発生する。
【００３４】
ＣＰＵ３０１は、以下に説明する各制御部を制御することにより、画像読取装置５０における各種の機能を実現する。駆動制御部３０６は、原稿を搬送する各種モータを制御する。原稿検知センサ制御部３０９は、原稿検知センサ９、レジストセンサ１１を制御する。また、ＣＰＵ３０１は、通信インタフェースとしてＵＳＢＩ／Ｆ３１０を介してＰＣ１００と接続されている。なお、通信方法は、ＵＳＢに代えて、ＳＣＳＩやＩＥＥＥ１３９４等が用いられてもよい。
【００３５】
ＰＣ１００には、後述するように、画像読取装置５０を制御するためのスキャナドライバやアプリケーションがインストールされている。ＰＣ１００は、これらのドライバやアプリケーションを利用して、画像読取装置５０に対して画像の読み取り指示等を送信する。このように、画像読取装置５０とＰＣ１００は互いに接続され、連携して画像の読取処理を実現する画像読取システムを形成する。
【００３６】
図４は、図１のＰＣ１００が備える機能の概略構成を示すブロック図である。以下に説明する各ブロックの機能を実現するプログラムは、ＰＣ１００におけるハードディスク（図示せず）にインストールされている。当該プログラムは、ユーザの操作又は他のプログラムからの呼び出しによって、ＲＡＭ（図示せず）に読み込まれ、これをＣＰＵ（図示せず）が実行することにより、所定の機能が実現される。
【００３７】
ＰＣ１００に電源が投入されるとオペレーティングシステム（ＯＳ）５２１が起動される。ＯＳ５２１が起動されると、ジョブモニタ５２２が呼び出される。ジョブモニタ５２２は、ＲＡＭ上に常駐し、画像読取装置５０上の操作パネルのスタートボタン（不図示）が押下されたか否かを監視する。スタートボタンの押下は画像の読み取りを開始するためのユーザ操作の一例である。また、例えばタッチパネルや静電スイッチ等を画像読取装置５０に設けてユーザ操作を行ってもよい。
【００３８】
ジョブモニタ５２２は、スタートボタンが押下されたか否かを示す情報に関する要求を含むスタートボタン読出しコマンドを、スキャナドライバ５２４を介して画像読取装置５０に対して所定の時間間隔で送信する。また、ジョブモニタ５２２は、当該要求に対する画像読取装置５０からの応答を確認することにより、当該監視処理を実現する。操作パネル上のスタートボタンが押下されたことが検知されると、ジョブモニタ５２２によってジョブアプリケーション５２３が起動される。ジョブアプリケーション５２３は、スキャナドライバ５２４を介して画像読取装置５０から画像データを取得することが可能である。
【００３９】
汎用アプリケーション５２５は、ジョブアプリケーション５２３が起動していない場合に、ユーザの操作によって任意のタイミングで起動され得る。汎用アプリケーション５２５もまた、ジョブアプリケーション５２３と同様に、スキャナドライバ５２４を介して画像読取装置５０から画像データを取得することができる。
【００４０】
ＰＣ１００は、画像読取装置５０において原稿の読取処理を実行する読取ジョブに関するジョブ設定を、ハードディスク（図示せず）に保持し、これを画像読取装置５０に対して提供する。ジョブ設定や後述する排紙自動切替の設定は、ＰＣ１００においてマウス／キーボード（不図示）を用いた操作によって行われる。なお、設定されたジョブ設定や排紙自動切替の設定に関する情報は、ＰＣ１００内ではなく、予め画像読取装置５０へ転送されて、画像読取装置５０に保持されていてもよい。
【００４１】
次に、図１の画像読取システムにおけるＵターン排紙とストレート排紙の自動切替動作について図５及び図６を参照して説明する。
【００４２】
図５は、ＰＣ１００が実行する原稿排紙パスの切替制御処理の流れを示すフローチャートである。本処理は、スキャナドライバ５２４、ジョブアプリケーション５２３、又は汎用アプリケーション５２５等に基づいて実行される。
【００４３】
まず、ユーザは原稿台１に原稿束Ｄを積載する。
ＰＣ１００は、スキャナドライバ等により図７（ａ）に示すダイアログ２００を表示し、原稿台１に積載された原稿束Ｄの何枚目の原稿をストレート排紙トレイ１３へ排出するかという排紙自動切替の設定を受け付ける（ステップＳ３０１）。ステップＳ３０１は設定工程の一例である。
【００４４】
ユーザが排紙自動切替を設定する場合、例えば、「ストレート排紙あり」のラジオボタン２０１をクリックした後、ストレート排紙を行う原稿のページ数をページ設定欄２０２に入力する。図示例では、原稿束の１枚目から３枚目までをストレート排紙するように設定されている。この場合は、設定された枚数分の原稿がストレート排紙された後、それ以降の原稿がＵターン排紙される。ストレート排紙するように設定された枚数（ページ数）Ｎの情報は、不図示のＲＡＭ等に一時記憶される。なお、ステップＳ３０１では、排紙自動切替の設定の他に、画像の読み取り設定をも受け付ける。
【００４５】
次に、ＰＣ１００は、画像読取装置５０から原稿検知センサ９による検知結果を取得し、原稿台１に原稿があるか否かを判定する（ステップＳ３０２）。原稿台１に原稿があると判定した場合、ＰＣ１００は、画像読取装置５０に画像読取開始指示を送信する（ステップＳ３０３）。なお、ステップＳ３０２で原稿台１に原稿がないと判定される場合とは、例えば、ユーザが原稿台１に原稿束Ｄを載置していなかった場合である。
【００４６】
次に、ＰＣ１００は、画像読取装置５０にてカウントされた搬送原稿の枚数（ページ数）を画像読取装置５０から取得する（ステップＳ３０４）。ステップＳ３０４は原稿枚数取得工程の一例である。つづいて、ＰＣ１００は、取得した搬送原稿の枚数が、ステップＳ３０１で設定された原稿の枚数Ｎに達したか否かを判定する（ステップＳ３０５）。ステップＳ３０５は原稿枚数判定工程の一例である。設定された原稿の枚数Ｎに達したと判定した場合、ＰＣ１００は、画像読取装置５０に画像読取停止指示を行った後（ステップＳ３０６）、排紙パスの切替要求を行う（ステップＳ３０７）。ステップＳ３０７は排紙路切替要求工程の一例である。本実施形態では、ステップＳ３０１でストレート排紙への切り替えが設定されていることからストレート排紙要求が行われる。
【００４７】
次に、ＰＣ１００は、画像読取装置５０に画像読取開始指示を送信した後（ステップＳ３０８）、画像読取装置５０にてカウントされた搬送原稿の枚数（ページ数）を画像読取装置５０から取得する（ステップＳ３０９）。つづいて、ＰＣ１００は、取得した搬送原稿の枚数が、ステップＳ３０１で設定された原稿の枚数Ｎを超えたか否か判定する（ステップＳ３１０）。設定された原稿の枚数Ｎを超えたと判定した場合、ＰＣ１００は、画像読取装置５０に画像読み取りの停止指示を行った後（ステップＳ３１１）、排紙パスの切替要求を行う（ステップＳ３１２）。本実施形態では、１〜３枚目の原稿をストレート排紙するように設定されていることから、搬送原稿の枚数が、設定された原稿の枚数Ｎ＝３を超えた場合には、Ｕターン排紙要求が行われる。
【００４８】
次に、ＰＣ１００は、画像読取装置５０に画像読取開始指示を送信した後（ステップＳ３１３）、画像読取装置５０から原稿検知センサ９による検知結果を取得し、原稿台１に原稿があるか否かを判定する（ステップＳ３１４）。原稿台１に原稿がないと判定した場合は、ＰＣ１００は本処理を終了する。
【００４９】
このように、ステップＳ３０１でストレート排紙するように設定された原稿がＮ（Ｎ〜Ｎ＋ｎ）枚目であった場合は、Ｎ（Ｎ〜Ｎ＋ｎ）枚目がストレート排紙された後に、ＰＣ１００から画像読取装置５０にＵターン排紙要求が行われるものとする。
【００５０】
図６は、ＰＣ１００からの指示に応じて実行される画像読取装置５０の原稿排紙パスの切替動作の流れを示すフローチャートである。
【００５１】
まず、画像読取装置５０は、原稿検知センサ９による検知結果をＰＣ１００に送信する（ステップＳ４０１）。次に、画像読取装置５０は、ＰＣ１００から画像読取開始指示を受信したか否かを判定する（ステップＳ４０２）。画像読取開始指示を受信した場合、画像読取装置５０は給紙動作が開始する（ステップＳ４０３）。給紙動作を開始すると、ピックアップローラ２、送りローラ３、及び分離ローラ４により原稿が１枚ずつ装置内へ搬送される。そして、レジストセンサ１１により原稿先端が検知され、画像読取のタイミングが調整された後、表面画像読取部３４又は裏面画像読取部３５により画像読み取りが行われる。それと同時に、レジストセンサ１１により検知された搬送原稿の枚数がカウントされ、フラッシュメモリ３０４に記憶される。ここで、画像読取装置５０における排紙方向がＵターン排紙ではなくストレート排紙になっていた場合には、ユーザに対して何らかの方法で通知を行うようにしてもよい。
【００５２】
次に、画像読取装置５０は、レジストセンサ１１により検知した搬送原稿の枚数をカウントし（ステップＳ４０４）、カウントした枚数をＰＣ１００に送信する（ステップＳ４０５）。次に、画像読取装置５０は、ＰＣ１００から画像読取停止指示を受け付けたか否かを判定し（ステップＳ４０６）、画像読取停止指示を受け付けたときは、給紙動作を停止する（ステップＳ４０７）。
【００５３】
次に、画像読取装置５０は、ＰＣ１００から排紙パスの切替要求を受信したか否かを判定し（ステップＳ４０８）、排紙パスの切替要求を受信した場合、フラッパ１４の切り替えを行う（ステップＳ４０９）。
【００５４】
画像読取装置では、Ｕターン排紙からストレート排紙に切り替わる設定の場合、設定された原稿の１枚前の原稿の後端がレジストセンサ１１で検知されたとき、原稿後端がフラッパ１４を通過するまでレジストローラ対５と搬送ローラ６，２３で原稿を搬送させる。その後に、フラッパ１４をＵターンパス２１側からストレートパス２２側へ切り替える。
【００５５】
また、ストレート排紙設定された原稿の１枚前の原稿の後端をレジストセンサ１１で検知した後すぐに給紙動作を開始せずに、所定の時間待機（ステップＳ４１０）した後に、ＰＣ１００からの画像読取開始指示に応じて給紙動作を開始する（ステップＳ４０３）。
【００５６】
一方、ストレート排紙からＵターン排紙に切り替わる設定の場合、原稿後端がレジストセンサ１１で検知されると、原稿後端がフラッパ１４を通過するまでレジストローラ対５と搬送ローラ６，２３で原稿を搬送させる。その後に、フラッパ１４をストレートパス２２側からＵターンパス２１側へ切り替える。このときも、原稿の後端をレジストセンサ１１で検知した後すぐに給紙動作を開始せずに、所定の時間待機（ステップＳ４１０）した後に、ＰＣ１００からの画像読取開始指示に応じて次の原稿の給紙動作を開始する（ステップＳ４０３）。
【００５７】
そして、例えば、ステップＳ４０４〜Ｓ４０６の間において、原稿検知センサ９による検知結果から原稿台１に原稿がないと判定した場合は、上記処理を終了する。
【００５８】
上記第１の実施形態によれば、予め指定した原稿のみをストレート排紙部へ排出し、それ以外の原稿をＵターン排紙部へ排出することにより、画像読取後の原稿の並び替え作業が不要となり、ユーザの作業効率を向上させることができる。
【００５９】
［第２の実施形態］
次に、第２の実施形態について説明する。本発明の第２の実施の形態では、図１〜図４に示す構成が上記第１の実施の形態と同じであり、第１の実施の形態と同様の部分については、同一の符号を用いてその説明を省略する。以下に、上記第１の実施の形態と異なる点のみを説明する。
【００６０】
混載原稿の画像読取において、１枚目に名刺などの厚手原稿、ＩＤカードや免許証といったプラスチックカードを、２枚目以降に申し込み用紙や付随資料等の紙原稿を順番に重ねてセットする場合が多い。一般的に、名刺やＩＤカード等に較べて申し込み用紙等の方が大きいことから、名刺やＩＤカード等を２枚目以降に重ねた場合、これらがどの位置にあるか分かり難くなる。その結果、ピックアップローラに接触しない位置にセットされると、装置内に搬送されない場合がある。
【００６１】
そこで、１枚目にのみ名刺やＩＤカード等をセットした場合には、１枚目のみをストレート排紙トレイに排出すればよいことになる。この場合、ＰＣ１００は、図７（ｂ）に示すダイアログ４００を表示し、原稿束の１枚目のみをストレート排紙トレイ１３に排出する排紙自動切替の設定を受け付ける。
【００６２】
なお、本実施形態では、ＰＣ１００から排紙自動切替設定を行うように構成されているが、画像読取装置５０の操作部（不図示）から排紙自動切替設定を行うように構成されていてもよい。
【００６３】
次に、第２の実施形態におけるＰＣ１００が実行する原稿排紙パスの切替制御処理の流れを図８を参照して説明する。
【００６４】
図８は、第２の実施形態におけるＰＣ１００が実行する原稿排紙パスの切替動作の流れを示すフローチャートである。本処理は、スキャナドライバ５２４、ジョブアプリケーション５２３、又は汎用アプリケーション５２５等に基づいて実行される。
【００６５】
まず、ユーザは、１枚目に厚手原稿やプラスチックカード等を、２枚目以降に申し込み用紙や付随資料などを順番に重ねた原稿束Ｄを原稿台１にセットする。
【００６６】
次に、ＰＣ１００は、スキャナドライバ又はアプリケーションにより図７（ｂ）に示すダイアログ４００を表示し、原稿束Ｄの１枚目の原稿をストレート排紙トレイ１３へ排出するかという排紙自動切替の設定を受け付ける（ステップＳ５０１）。
【００６７】
ユーザが排紙自動切替を設定する場合、ダイアログ４００上の「１枚目のみストレート排紙」のラジオボタン４０１をクリックする。
【００６８】
なお、ステップＳ５０１では、排紙自動切替の設定の他に、画像の読み取り設定をも受け付ける。
【００６９】
次に、ＰＣ１００は、画像読取装置５０から原稿検知センサ９による検知結果を取得し、原稿台１に原稿があるか否かを判定する（ステップＳ５０２）。原稿台１に原稿があると判定した場合、ＰＣ１００は、画像読取装置５０にストレート排紙への切替要求を行った後（ステップＳ５０３）、画像読取装置５０に画像読取開始指示を送信する（ステップＳ５０４）。
【００７０】
次に、ＰＣ１００は、画像読取装置５０にてカウントされた搬送原稿の枚数（ページ数）を画像読取装置５０から取得し、取得した原稿の枚数が２枚目か否かを判定する（ステップＳ５０５）。２枚目と判定した場合、ＰＣ１００は、画像読取装置５０に画像読取停止指示を送信する（ステップＳ５０６）。つづいて、ＰＣ１００は、画像読取装置５０にＵターン排紙への切替要求を行い（ステップＳ５０７）、画像読取装置５０に画像読取開始指示を送信する（ステップＳ５０８）。次に、ＰＣ１００は、画像読取装置５０から原稿検知センサ９による検知結果を取得し、原稿台１に原稿があるか否かを判定する（ステップＳ５０９）。原稿台１に原稿がないと判定した場合は、ＰＣ１００は本処理を終了する。
【００７１】
一方、画像読取装置５０では、原稿検知センサ９による検知結果をＰＣ１００に送信した後、ＰＣ１００から排紙パスの切替要求を受信した否かを判定する。排紙パスの切替要求を受信した場合は、画像読取装置５０は給紙動作を開始する前に、フラッパ１４をストレートパス２２側に切り替える。給紙動作を開始すると、ピックアップローラ２、送りローラ３、及び分離ローラ４により原稿が１枚ずつ装置内へ搬送される。そして、レジストセンサ１１により原稿先端が検知され、画像読取のタイミングが調整された後、表面画像読取部３４又は裏面画像読取部３５により画像読み取りが行われる。それと同時に、レジストセンサ１１により検知された搬送原稿の枚数がカウントされ、フラッシュメモリ３０４に記憶される。
【００７２】
次に、画像読取装置５０は、カウントした原稿の枚数をＰＣ１００に送信し、ＰＣ１００から画像読取停止指示を受信したか否かを判定する。画像読取停止指示を受信した場合は、画像読取装置５０は給紙動作を停止し、ＰＣ１００から受信した排紙パスの切替要求に応じて、フラッパ１４をＵターンパス２１側に切り替える。すなわち、１枚目の原稿の後端がレジストセンサ１１で検知されると、１枚目の原稿の後端がフラッパ１４を通過するのに必要な時間が経過した後、フラッパ１４をストレートパス２２側からＵターンパス２１側へ切り替える。また、１枚目の原稿の後端がレジストセンサ１１で検知した後すぐに給紙動作を開始せずに、所定の時間が経過した後に次の原稿の給紙動作を開始する。
【００７３】
上記第２の実施形態によれば、厚手原稿やプラスチックカードと普通原稿を合わせて画像読取した場合、厚手原稿やプラスチックカードはストレート排紙部へ、その他の原稿はＵターン排紙部へ排出される。これにより、画像読取後の原稿の並び替え作業がなくなり、ユーザの作業効率が向上する。
【００７４】
［第３の実施形態］
上記第１及び第２の実施形態では、ＰＣ１００のスキャナドライバやアプリケーション等が原稿排紙パスの切替制御処理を実行している場合について説明したが、画像読取装置５０が切替制御処理を実行する構成であってもよい。
【００７５】
図９は、画像読取装置５０が実行する原稿排紙パスの切替制御処理の流れを示すフローチャートである。本処理は、ＣＰＵ３０１が制御プログラムを実行することによりなされる処理である。
【００７６】
まず、ユーザは原稿台１に原稿束Ｄを積載する。画像読取装置５０は、ダイアログ２００又はダイアログ４００を表示し、原稿台１に積載された原稿束Ｄの何枚目（または何枚目から何枚目まで）の原稿をストレート排紙トレイ１３へ排出するかという排紙自動切替の設定を受け付ける（ステップＳ６０１）。
【００７７】
次に、画像読取装置５０は、原稿検知センサ９による原稿台１上の原稿の有無を判定し（ステップＳ６０２）、原稿があると判定した場合には、ＰＣ１００から画像読取開始指示を受信したか否かを判定する（ステップＳ６０３）。画像読取開始指示を受信した場合、画像読取装置５０は、給紙動作が開始する（ステップＳ６０４）。給紙動作を開始すると、ピックアップローラ２、送りローラ３、及び分離ローラ４により原稿が１枚ずつ装置内へ搬送される。そして、レジストセンサ１１により原稿先端が検知され、画像読取のタイミングが調整された後、表面画像読取部３４又は裏面画像読取部３５により画像読み取りが行われる。それと同時に、レジストセンサ１１により検知された搬送原稿の枚数がカウントされ（ステップＳ６０６）、フラッシュメモリ３０４に記憶される。なお、ステップＳ６０５では、原稿台１上の原稿の有無が判定され、原稿台上の原稿の全てを読み取った場合には、本処理を終了する。
【００７８】
次に、画像読取装置５０は、カウントした原稿の枚数がステップＳ６０１で設定された枚数に達したか否かを判定する（ステップＳ６０７）。設定された枚数に達した場合、画像読取装置５０は、給紙動作を停止し（ステップＳ６０８）、フラッパ１４の切り替えを行う（ステップＳ６０９）。例えば、ステップＳ６０９では、ｎ枚目の原稿の後端がレジストセンサ１１で検知されると、ｎ枚目の原稿の後端がフラッパ１４を通過するのに必要な時間が経過した後、フラッパ１４をストレートパス２２側からＵターンパス２１側へ切り替える。また、ｎ枚目の原稿の後端がレジストセンサ１１で検知した後すぐに給紙動作を開始せずに、所定の時間が経過した後に次の原稿の給紙動作を開始する（ステップＳ６１０）。
【００７９】
上記第３の実施形態によれば、予め指定した原稿のみをストレート排紙部へ排出し、それ以外の原稿をＵターン排紙部へ排出することにより、画像読取後の原稿の並び替え作業が不要となり、ユーザの作業効率を向上させることができる。
【００８０】
上記第１〜第３の実施形態では、自動原稿供給装置が適用された画像読取装置について説明したが、これに限定されず、原稿のＵターン排紙とストレート排紙が可能な装置であればどのようなものでもよい。
【００８１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００８２】
９  原稿検知センサ
１２  Ｕターン排紙トレイ
１３  ストレート排紙トレイ
１４  フラッパ
２１  Ｕターンパス
２２  ストレートパス
５０  画像読取装置
１００  ＰＣ
３０１  ＣＰＵ
【図１】
2012206841.tif 000003
【図２】
2012206841.tif 000004
【図３】
2012206841.tif 000005
【図４】
2012206841.tif 000006
【図５】
2012206841.tif 000007
【図６】
2012206841.tif 000008
【図７】
2012206841.tif 000009
【図８】
2012206841.tif 000010
【図９】
2012206841.tif 000011